(57)【要約】【課題】被監視者である例えば高齢者に異常が発生して、ある位置から移動できない状況が一定時間継続した場合等に、この異常を検出して監視者に通知することができる携帯通信システムを提供する。【解決手段】無線基地局３、４を介して互いに通信する携帯端末１と携帯端末２とを備え、携帯端末１は、所定周期で自己の位置を自己位置として検出する位置検出部１２と、自己位置を記憶位置として記憶する記憶部１３と、第１の異常通知を行う第１異常通知部１４とを含み、第１異常通知部１４は、自己位置が検出された際に、自己位置と記憶位置とを比較するとともに、自己位置が第１の所定時間にわたって変化しない場合に、携帯端末２に対して第１の異常通知を行うものである。【選択図】図１
2008003992.tif 000002
【特許請求の範囲】
【請求項１】
基地局を介して互いに通信する第１携帯通信端末と第２携帯通信端末とを備え、
前記第１携帯通信端末は、
所定周期で自己の位置を自己位置として検出する位置検出手段と、
前記自己位置を記憶位置として記憶する記憶手段と、
第１の異常通知を行う第１異常通知手段とを含み、
前記第１異常通知手段は、前記自己位置が検出された際に、前記自己位置と前記記憶位置とを比較するとともに、前記自己位置が第１の所定時間にわたって変化しない場合に、前記第２携帯通信端末に対して前記第１の異常通知を行うことを特徴とする携帯通信システム。
【請求項２】
前記第１携帯通信端末は、第２の異常通知を行う第２異常通知手段をさらに含み、
前記記憶手段には、あらかじめ所定の位置が初期位置として記憶され、
前記第２異常通知手段は、前記自己位置が検出された際に、前記自己位置と前記初期位置とを比較するとともに、前記自己位置が第２の所定時間にわたって前記初期位置と一致しない場合に、前記第２携帯通信端末に対して前記第２の異常通知を行うことを特徴とする請求項１に記載の携帯通信システム。
【請求項３】
基地局を介して互いに通信する第１携帯通信端末と第２携帯通信端末とを備え、
前記第１携帯通信端末は、
所定周期で自己の位置を自己位置として検出する位置検出手段と、
あらかじめ所定の位置が初期位置として記憶された記憶手段と、
第２の異常通知を行う第２異常通知手段とを含み、
前記第２異常通知手段は、前記自己位置が検出された際に、前記自己位置と前記初期位置とを比較するとともに、前記自己位置が第２の所定時間にわたって前記初期位置と一致しない場合に、前記第２携帯通信端末に対して前記第２の異常通知を行うことを特徴とする携帯通信システム。
【請求項４】
前記第１携帯通信端末は、第３の異常通知を行う電池残量通知手段をさらに含み、
前記電池残量通知手段は、前記第１携帯通信端末に設けられた電池の残量を検出するとともに、前記残量が所定残量まで低下した場合に、前記第３の異常通知を行うことを特徴とする請求項１から請求項３までの何れか１項に記載の携帯通信システム。
【発明の詳細な説明】
【技術分野】
【０００１】
この発明は、被監視者である例えば高齢者の携帯する第１携帯通信端末が、自己の位置に基づいて、監視者の携帯する第２携帯通信端末に対して異常通知を行う携帯通信システムに関する。
【背景技術】
【０００２】
従来の移動監視システムは、移動を監視される監視対象（被監視者）の現在位置を判別する監視対象位置判別手段と、この監視対象の移動先で警告を発しないでよいエリアとしての非監視エリアを登録する非監視エリア登録手段と、監視対象が非監視エリア登録手段によって登録された非監視エリアから出たとき、これを監視対象位置判別手段の判別した位置から検出する非監視エリア外移動時検出手段と、この非監視エリア外移動時検出手段が、監視対象が非監視エリア外に移動したことを検出したときあらかじめ定めた端末にその監視対象の現在位置を通知する監視対象位置通知手段とを具備している（例えば、特許文献１参照）。
【０００３】
【特許文献１】特開２００５−３８２９９号公報
【発明の開示】
【発明が解決しようとする課題】
【０００４】
従来の移動監視システムでは、被監視者が非監視エリア外に移動した際に、あらかじめ定めた端末にその被監視者の現在位置が通知される。
そのため、例えば被監視者に異常が発生して、非監視エリア内のある位置から移動できない状態が一定時間継続した場合等に、この異常を検出して監視者に通知することができないという問題点があった。
【０００５】
この発明は、上記のような問題点を解決することを課題とするものであって、その目的は、被監視者である例えば高齢者に異常が発生して、ある位置から移動できない状況が一定時間継続した場合等に、この異常を検出して監視者に通知することができる携帯通信システムを提供することにある。
【課題を解決するための手段】
【０００６】
この発明に係る携帯通信システムは、基地局を介して互いに通信する第１携帯通信端末と第２携帯通信端末とを備え、第１携帯通信端末は、所定周期で自己の位置を自己位置として検出する位置検出手段と、自己位置を記憶位置として記憶する記憶手段と、第１の異常通知を行う第１異常通知手段とを含み、第１異常通知手段は、自己位置が検出された際に、自己位置と記憶位置とを比較するとともに、自己位置が第１の所定時間にわたって変化しない場合に、第２携帯通信端末に対して第１の異常通知を行うものである。
【発明の効果】
【０００７】
この発明の携帯通信システムによれば、例えば被監視者が携帯する第１携帯通信端末に設けられた第１異常通知手段は、位置検出手段で自己位置が検出された際に、自己位置と記憶位置とを比較するとともに、自己位置が記憶位置から第１の所定時間にわたって変化しない場合に、例えば監視者が携帯する第２携帯通信端末に対して第１の異常通知を行う。
そのため、被監視者である例えば高齢者に異常が発生して、ある位置から移動できない状況が一定時間継続した場合等に、この異常を検出して監視者に通知することができる。
【発明を実施するための最良の形態】
【０００８】
以下、この発明の各実施の形態について図に基づいて説明するが、各図において同一、または相当する部材、部位については、同一符号を付して説明する。
【０００９】
実施の形態１．
図１は、この発明の実施の形態１に係る携帯通信システムを示す構成図である。
図１において、携帯通信システムは、被監視者である例えば高齢者が携帯する携帯端末１（第１携帯通信端末）と、監視者が携帯する携帯端末２（第２携帯通信端末）と、携帯端末１と通信する無線基地局３と、無線基地局３に接続されて携帯端末２と通信する無線基地局４とから構成されている。
また、携帯端末１は、ＧＰＳ衛星５から送信されるＧＰＳ信号（後述する）を受信する。
【００１０】
図２は、この発明の実施の形態１に係る携帯端末１を詳細に示すブロック図である。
図２において、携帯端末１は、情報処理部６と、ＧＰＳ受信部７と、無線通信部８と、操作部９と、表示部１０と、スピーカ部１１とを含んでいる。
【００１１】
ＧＰＳ受信部７は、ＧＰＳ衛星５から送信されるＧＰＳ信号を受信する。ＧＰＳ信号は、携帯端末１の位置に関する情報を含んでいる。
無線通信部８は、無線基地局３（図１参照）と通信する。操作部９は、監視者あるいは被監視者が操作する入力ボタン（図示せず）を有している。表示部１０は、入力ボタンの操作内容等を表示するディスプレイ（図示せず）を有している。スピーカ部１１は、入力ボタンの操作内容等を音声で出力するスピーカを有している。
【００１２】
情報処理部６は、ＣＰＵ（図示せず）とプログラムを格納した記憶部１３（後述する）とを有するマイクロプロセッサで構成され、無線通信の制御、入力ボタン操作の検出、入力情報の処理、ディスプレイ表示の制御を行う。
また、情報処理部６は、位置検出部１２（位置検出手段）と、記憶部１３（記憶手段）と、第１異常通知部１４（第１異常通知手段）と、第２異常通知部１５（第２異常通知手段）と、電池残量通知部１６（電池残量通知手段）とを有している。
【００１３】
位置検出部１２は、ＧＰＳ受信部７が受信したＧＰＳ信号に基づいて、任意に設定される所定周期で自己の位置を自己位置として検出する。
記憶部１３は、位置検出部１２で検出された自己位置を、記憶位置として記憶する。また、記憶部１３には、ＧＰＳ受信部７が受信したＧＰＳ信号を位置検出部１２に取り込む曜日、時間帯、および周期と、監視者が携帯する携帯端末２のメールアドレスと、被監視者の自宅の位置（初期位置）とが、監視者による操作部９の操作によってあらかじめ設定されている。
【００１４】
第１異常通知部１４は、位置検出部１２で自己位置が検出された際に、自己位置と記憶部１３に記憶された記憶位置とを比較する。また、第１異常通知部１４は、自己位置が任意に設定される第１の所定時間にわたって変化しない場合に、被監視者に異常が発生したとして、携帯端末２に対して第１の異常通知を行う。
ここで、第１の異常通知は、被監視者が第１の所定時間にわたって移動していない旨の通知と、現在の被監視者の位置の通知とを含んでいる。
【００１５】
第２異常通知部１５は、位置検出部１２で自己位置が検出された際に、自己位置と記憶部１３に記憶された被監視者の自宅位置とを比較する。また、第２異常通知部１５は、自己位置が任意に設定される第２の所定時間にわたって自宅位置と一致しない場合に、被監視者に異常が発生したとして、携帯端末２に対して第２の異常通知を行う。
ここで、第２の異常通知は、被監視者が第２の所定時間にわたって自宅に戻っていない旨の通知と、現在の被監視者の位置の通知とを含んでいる。
【００１６】
電池残量通知部１６は、携帯端末１に設けられた電池（図示せず）の残量を検出する。また、電池残量通知部１６は、電池残量が任意に設定される所定残量まで低下した場合に、第３の異常通知を行う。
ここで、第３の異常通知は、携帯端末１に対する通知として、電池残量の低下の通知と、充電の要求の通知とを含んでいる。また、第３の異常通知は、携帯端末２に対する通知として、携帯端末１の電池残量の低下の通知と、現在の被監視者の位置の通知とを含んでいる。
【００１７】
なお、携帯端末１は、上記の他に、通常の携帯端末が有する音声通話やメールの送受信を制御するための機能および構成を同様に有している。
また、携帯端末２は、携帯端末１と同様の構成であってもよい。
【００１８】
以下、図１および図２を参照しながら、上記構成の携帯通信システムについての動作を説明する。
まず、位置検出部１２は、記憶部１３に設定された曜日、時間帯、および周期でＧＰＳ信号を取り込み、自己の位置を自己位置として検出する。
第１異常通知部１４は、検出された自己位置と、記憶部１３に記憶された記憶位置とを比較する。第１異常通知部１４は、検出された自己位置を記憶位置として記憶部１３に記憶させるとともに、自己位置と記憶位置とが一致した場合には、記憶部１３に対して、自己位置と記憶位置との一致を一致情報として登録する。
【００１９】
続いて、第１異常通知部１４は、一致情報の登録が特定の回数（第１の所定時間と位置検出部１２の検出周期から求められる）連続して発生した場合に、被監視者が第１の所定時間にわたって移動していないとして、被監視者の異常を検出する。
このとき、第１異常通知部１４は、記憶部１３にあらかじめ登録された携帯端末２のメールアドレスに基づいて、携帯端末２に対して、前述の第１の異常通知を行う。
【００２０】
また、第２異常通知部１５は、検出された自己位置と、記憶部１３に記憶された被監視者の自宅位置とを比較する。第２異常通知部１５は、自己位置と自宅位置とが一致しない場合には、記憶部１３に対して、自己位置と自宅位置との不一致を不一致情報として登録する。
【００２１】
続いて、第２異常通知部１５は、不一致情報の登録が特定の回数（第２の所定時間と位置検出部１２の検出周期から求められる）連続して発生した場合に、被監視者が第２の所定時間にわたって自宅に戻っていないとして、被監視者の異常を検出する。
このとき、第２異常通知部１５は、記憶部１３にあらかじめ登録された携帯端末２のメールアドレスに基づいて、携帯端末２に対して、前述の第２の異常通知を行う。
【００２２】
また、電池残量通知部１６は、携帯端末１の電池の残量を検出する。電池残量通知部１６は、携帯端末１の使用によって電池残量が所定残量まで低下した場合に、位置検出部１２に対して、自己位置の検出を要求する。
このとき、電池残量通知部１６は、表示部１０による表示、あるいはスピーカ部１１による音声出力により、携帯端末１に対して、前述の第３の異常通知を行う。また同時に、電池残量通知部１６は、記憶部１３にあらかじめ登録された携帯端末２のメールアドレスに基づいて、携帯端末２に対して、前述の第３の異常通知を行う。
【００２３】
この発明の実施の形態１に係る携帯通信システムによれば、第１異常通知部１４は、自己位置が第１の所定時間にわたって変化しない場合に、被監視者の異常を検出して、監視者が携帯する携帯端末２に対して前述の第１の異常通知を行う。
そのため、監視者は被監視者の異常を知ることができ、この異常に対して適切な対処を行うことができる。
【００２４】
また、第２異常通知部１５は、自己位置が第２の所定時間にわたって自宅位置と一致しない場合に、被監視者の異常を検出して、監視者が携帯する携帯端末２に対して前述の第２の異常通知を行う。
そのため、監視者は被監視者の異常を知ることができ、この異常に対して上記と同様に適切な対処を行うことができる。
【００２５】
また、電池残量通知部１６は、携帯端末１の電池残量が所定残量まで低下した場合に、位置検出部１２に対して、自己位置の検出を要求するとともに、前述の第３の通知を行う。
そのため、携帯端末１の電池残量不足によって携帯端末１と通信ができなくなる前に、監視者から被監視者に連絡をとって、状況を確認することができる。また、電池残量が不足する前の被監視者の位置を得ることができるので、この位置に応じて、容易に被監視者を探し出すことができる。
【００２６】
なお、上記実施の形態１による携帯通信システムは、位置検出部１２がＧＰＳ衛星５からのＧＰＳ信号を受信して自己位置を検出しているが、これに限定されない。位置検出部１２は、例えば準天頂衛星から信号を受信して自己位置を検出してもよい。
この場合も、上記実施の形態１と同様の効果を奏することができる。
【００２７】
また、上記実施の形態１による携帯通信システムは、監視者が操作部９を操作することによって、ＧＰＳ信号を位置検出部１２に取り込む曜日、時間帯、および周期と、携帯端末２のメールアドレスと、被監視者の自宅の位置とをあらかじめ設定しているが、これに限定されない。ＧＰＳ信号を位置検出部１２に取り込む曜日、時間帯、および周期と、携帯端末２のメールアドレスと、被監視者の自宅の位置とは、携帯端末２からメール等によって設定されてもよい。
この場合も、上記実施の形態１と同様の効果を奏することができる。
【００２８】
また、上記実施の形態１による携帯通信システムは、位置検出部１２が、自己位置と記憶位置とが一致した場合に、記憶部１３に対して一致情報を登録しているが、これに限定されない。記憶部１３に任意の複数個（例えば、５０個）の記憶位置が記憶されて、位置検出部１２は、検出した自己位置と、記憶部１３に記憶された複数の記憶位置とを比較することによって、被監視者が第１の所定時間にわたって移動していないことを検出してもよい。
この場合も、上記実施の形態１と同様の効果を奏することができる。
【図面の簡単な説明】
【００２９】
【図１】この発明の実施の形態１に係る携帯通信システムを示す構成図である。
【図２】この発明の実施の形態１に係る携帯端末を詳細に示すブロック図である。
【符号の説明】
【００３０】
１  携帯端末（第１携帯通信端末）、２  携帯端末（第２携帯通信端末）、３、４  無線基地局（基地局）、１２  位置検出部（位置検出手段）、１３  記憶部（記憶手段）、１４  第１異常通知部（第１異常通知手段）、１５  第２異常通知部（第２異常通知手段）、１６  電池残量通知部（電池残量通知手段）。
【図１】
2008003992.tif 000003
【図２】
2008003992.tif 000004